(57)【要約】【課題】車両のシートの位置を簡単な操作で目視確認してシートを所定位置に位置させることができるシート位置確認装置を提供する。【解決手段】本装置は、位置を調整可能なシート１を所定位置Ｐ１、Ｑ１、Ｒ１に位置させるためのシート位置確認装置２１であって、車両の内装材（天井材２２）又は窓部の表面に設けられるマーキング部２３と、シートに設けられ、マーキング部に対して光を照射する１又は複数の光照射部２５ａ〜２５ｃと、を備える。そして、上記光照射部は、シートの位置に応じてマーキング部に光が当たるように光の照射方向を調整可能とされている。【選択図】図１
2016000606.tif 000002
【特許請求の範囲】
【請求項１】
位置を調整可能なシートを所定位置に位置させるためのシート位置確認装置であって、
車両の内装材又は窓部の表面に設けられるマーキング部と、
前記シートに設けられ、前記マーキング部に対して光を照射する光照射部と、を備え、
前記光照射部は、前記シートの位置に応じて前記マーキング部に光が当たるように光の照射方向を調整可能とされていることを特徴とするシート位置確認装置。
【請求項２】
前記シートは、複数の動作方向に位置を調整可能とされており、
１つの前記マーキング部が設けられており、
前記光照射部は、前記シートを前記複数の動作方向毎に決められる各所定位置に位置させるために複数設けられている請求項１記載のシート位置確認装置。
【請求項３】
前記シートは、車両前後方向にスライド可能で且つ高さ方向に昇降可能なシートクッションと、該シートクッションの後端側で水平軸回りのリクライニング方向にリクライニング可能なシートバックと、を備え、
前記光照射部は、前記シートクッションを車両前後方向の所定位置に位置させるための第１光照射部と、前記シートクッションを高さ方向の所定位置に位置させるための第２光照射部と、前記シートバックをリクライニング方向の所定位置に位置させるための第３光照射部と、を備える請求項２記載のシート位置確認装置。
【請求項４】
複数の前記光照射部のそれぞれは、異なる色の光を照射する請求項２又は３に記載のシート位置確認装置。
【請求項５】
前記光照射部は、光の照射方向が車両幅方向の水平軸回りに回転調整されるように前記シートの側面部に設けられている請求項１乃至４のいずれか一項に記載のシート位置確認装置。
【請求項６】
前記光照射部は、レーザ光を照射するレーザポインタと、前記レーザポインタを保持するホルダと、前記ホルダを前記レーザポインタのレーザ光の照射方向と直交する軸回りに回転自在に支持し且つ前記シートの側面部に取り付けられる取付体と、を備える請求項５記載のシート位置確認装置。
【発明の詳細な説明】
【技術分野】
【０００１】
本発明は、シート位置確認装置に関し、さらに詳しくは、位置を調整可能な車両のシートを所定位置に位置させるためのシート位置確認装置に関する。
【背景技術】
【０００２】
従来のシート位置調整装置として、電動式のパワーシートの位置情報（例えば、スライド位置、リフター位置、リクライニング位置等）をモータ位置を検出するセンサから取得して、その位置情報をメモリに記憶し、使用者がシートを使用する際に、記憶された位置情報に基づいて予め決められたシートの最適ポジションに自動的に位置調整するものが一般に知られている。また、従来のシート位置検出装置として、シートに着座する使用者に光を照射する光照射ユニットと、光が照射された使用者を撮影する撮影装置と、を備え、撮影画像中の使用者からの反射光の位置情報に基づいてシート位置を検出するものが知られている（例えば、特許文献１参照）。
【先行技術文献】
【特許文献】
【０００３】
【特許文献１】特開２００５−６７２８１号公報
【発明の概要】
【発明が解決しようとする課題】
【０００４】
しかし、従来のシート位置調整装置では、シートの位置情報をメモリに記憶しているので、シートの位置情報を使用者が目視確認することができない。また、センサやメモリ等を備える電動シートを用いる必要があり、複雑で高価な構造となる。また、特許文献１に開示されているシート位置検出装置では、撮影画像中の使用者からの反射光の位置情報に基づいてシート位置を検出しているので、上記シート位置調整装置と同様にして、シートの位置情報を使用者が目視確認することができない。さらに、光照射ユニット及び撮影装置を備えるので、構造が複雑で重量が重くなるという問題がある。
【０００５】
本発明は、上記現状に鑑みてなされたものであり、車両のシートの位置を簡単な操作で目視確認してシートを所定位置に位置させることができるとともに、簡易且つ軽量な構造で汎用性に優れたシート位置確認装置を提供することを目的とする。
【課題を解決するための手段】
【０００６】
上記問題を解決するために、請求項１に記載の発明は、位置を調整可能なシートを所定位置に位置させるためのシート位置確認装置であって、車両の内装材又は窓部の表面に設けられるマーキング部と、前記シートに設けられ、前記マーキング部に対して光を照射する光照射部と、を備え、前記光照射部は、前記シートの位置に応じて前記マーキング部に光が当たるように光の照射方向を調整可能とされていることを要旨とする。
請求項２に記載の発明は、請求項１記載の発明において、前記シートは、複数の動作方向に位置を調整可能とされており、１つの前記マーキング部が設けられており、前記光照射部は、前記シートを前記複数の動作方向毎に決められる各所定位置に位置させるために複数設けられていることを要旨とする。
請求項３に記載の発明は、請求項２記載の発明において、前記シートは、車両前後方向にスライド可能で且つ高さ方向に昇降可能なシートクッションと、該シートクッションの後端側で水平軸回りのリクライニング方向にリクライニング可能なシートバックと、を備え、前記光照射部は、前記シートクッションを車両前後方向の所定位置に位置させるための第１光照射部と、前記シートクッションを高さ方向の所定位置に位置させるための第２光照射部と、前記シートバックをリクライニング方向の所定位置に位置させるための第３光照射部と、を備えることを要旨とする。
請求項４に記載の発明は、請求項２又は３に記載の発明において、複数の前記光照射部のそれぞれは、異なる色の光を照射することを要旨とする。
請求項５に記載の発明は、請求項１乃至４のいずれか一項に記載の発明において、前記光照射部は、光の照射方向が車両幅方向の水平軸回りに回転調整されるように前記シートの側面部に設けられていることを要旨とする。
請求項６に記載の発明は、請求項５記載の発明において、前記光照射部は、レーザ光を照射するレーザポインタと、前記レーザポインタを保持するホルダと、前記ホルダを前記レーザポインタのレーザ光の照射方向と直交する軸回りに回転自在に支持し且つ前記シートの側面部に取り付けられる取付体と、を備えることを要旨とする。
【発明の効果】
【０００７】
本発明のシート位置確認装置によると、車両の内装材又は窓部の表面に設けられるマーキング部と、シートに設けられ、マーキング部に対して光を照射する光照射部と、を備え、光照射部は、シートの位置に応じてマーキング部に光が当たるように光の照射方向を調整可能とされている。これにより、シートの所定位置でマーキング部に光が当たるように光照射部の光の照射方向を調整設定しておけば、シートが所定位置から変更されても、光照射部の光がマーキング部に当たるようにシートを位置調整することでシートが所定位置に戻される。よって、車両の乗員（使用者）は、シートの位置を簡単な操作で直感的に目視確認してシートを所定位置に位置させることができる。また、従来のように光照射ユニット及び撮影装置を備えるシート位置検出装置に比べて、簡易且つ軽量な構造とすることができる。さらに、シートの位置情報を記憶するメモリ等を必要としないため、電動式のパワーシートに限らず、手動式のマニュアルシートや様々なシートに組み込むことができる。よって、汎用性に優れる。
また、前記シートが、複数の動作方向に位置を調整可能とされており、１つの前記マーキング部が設けられており、前記光照射部が、前記シートを前記複数の動作方向毎に決められる各所定位置に位置させるために複数設けられている場合は、使用者は、各光照射部からの光が１つのマーキング部に当たるように目視確認しながらシートを動かすことにより、複数の動作方向の全てについて、シートを所定位置に位置させることができる。
また、前記シートが、特定のシートクッションと、シートバックと、を備え、前記光照射部が、特定の第１光照射部と、第２光照射部と、第３光照射部と、を備える場合は、シートの車両前後方向、高さ方向及びリクライニング方向の各所定位置を簡単な操作で直感的に目視確認してシートを各所定位置に位置させることができる。
また、複数の前記光照射部のそれぞれが、異なる色の光を照射する場合は、複数の光照射部の光の識別性が高められるため、光照射部の光をマーキング部に容易に当てることができる。
また、前記光照射部が、光の照射方向が車両幅方向の水平軸回りに回転調整されるように前記シートの側面部に設けられている場合は、シートに着座した状態で使用者がシートの側面部の光照射部で光の照射方向を簡単に回転調整できる。
さらに、前記光照射部が、特定のレーザポインタと、ホルダと、取付体と、を備える場合は、シートに着座した状態で使用者がホルダを回転操作することで、レーザポインタのレーザ光の照射方向を簡単に回転調整できる。さらに、指向性に優れたレーザ光が照射されるため、光照射部のレーザ光をマーキング部に容易に当てることができる。
【図面の簡単な説明】
【０００８】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係るシート位置確認装置の模式図である。
【図２】実施例に係るシートの斜視図である。
【図３】上記シートの骨格部を示す斜視図である。
【図４】実施例に係る光照射部の平面図である。
【図５】図４のＶ−Ｖ線断面図である。
【図６】上記シート位置確認装置の作用説明図であり、（ａ）はシートが最適ポジションに位置する状態を示し、（ｂ）はシートが最適ポジションから変更された状態を示す。
【発明を実施するための形態】
【０００９】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１０】
＜シート位置確認装置＞
本実施形態に係るシート位置確認装置は、位置を調整可能なシート（１）を所定位置（Ｐ１、Ｑ１、Ｒ１）に位置させるためのシート位置確認装置（２１）であって、車両の内装材（２２）又は窓部の表面に設けられるマーキング部（２３）と、シート（１）に設けられ、マーキング部（２３）に対して光を照射する１又は複数の光照射部（２５ａ〜２５ｃ）と、を備える（例えば、図１等参照）。そして、上記光照射部（２５ａ〜２５ｃ）は、シート（１）の位置に応じてマーキング部（２３）に光が当たるように光の照射方向（すなわち、光の指向方向）を調整可能とされている（例えば、図４及び図５等参照）。
上記光照射部（２５ａ〜２５ｃ）は、使用者がシート（１）を所定位置としたときに、マーキング部（２３）に光が当たるように光の照射方向を調整して設定可能とされている。
【００１１】
なお、上記「シート」は、位置（姿勢を含む。）を調整可能である限り、その種類、構造、位置調整形態等は特に問わない。また、上記「所定位置」とは、使用者により決められるシートの位置を意図する。この所定位置は、例えば、シートの複数の動作方向毎に複数の位置が設定されていてもよいし、シートの単一の動作方向に応じて単一の位置のみが設定されていてもよい。シート（１）の１つの動作方向の位置のみを所定位置に調整可能とするために、１つの上記光照射部のみが備えられてもよい。
【００１２】
本実施形態に係るシート位置確認装置としては、例えば、上記シート（１）は、複数の動作方向（Ｐ、Ｑ、Ｒ）に位置を調整可能とされており、上記光照射部（２５ａ〜２５ｃ）は、シートを複数の動作方向（Ｐ、Ｑ、Ｒ）毎に決められる各所定位置（Ｐ１、Ｑ１、Ｒ１）に位置させるために複数設けられている形態（例えば、図１等参照）を挙げることができる。なお、上記「複数の動作方向」としては、例えば、車両前後方向（前後スライド方向）、車両幅方向（横スライド方向）、高さ方向、リクライニング方向、垂直軸回りの回転方向等のうちの２以上の組み合わせを挙げることができる。
【００１３】
上述の形態の場合、例えば、上記シート（１）は、車両前後方向（Ｐ）にスライド可能で且つ高さ方向（Ｑ）に昇降可能なシートクッション（２）と、シートクッション（２）の後端側で水平軸回りのリクライニング方向（Ｒ）に傾動可能なシートバック（３）と、を備え、上記光照射部は、シートクッション（２）を車両前後方向（Ｐ）の所定位置（Ｐ１）に位置させるための第１光照射部（２５ａ）と、シートクッション（２）を高さ方向（Ｑ）の所定位置（Ｑ１）に位置させるための第２光照射部（２５ｂ）と、シートバック（３）をリクライニング方向（Ｒ）の所定位置（Ｒ１）に位置させるための第３光照射部（２５ｃ）と、を備えることができる（例えば、図１及び図２等参照）。
【００１４】
上述の形態の場合、例えば、上記第１光照射部（２５ａ）及び第２光照射部（２５ｂ）のうちの一方の光照射部がシートクッション（２）の前端側に配され、他方の光照射部がシートクッション（２）の後端側に配され、第３光照射部（２５ｃ）がシートバック（３）の上端側に配されていることができる（例えば、図１及び図２等参照）。これにより、各光照射部の間隔（マーキング部に対する各光照射部からの照射の角度の差）が大きくなるため、各光照射部の光をマーキング部に当てるようにする調整が容易となる。
【００１５】
上述の形態の場合、例えば、上記複数の光照射部（２５ａ〜２５ｃ）のそれぞれは、異なる色の光を照射することができる。
【００１６】
本実施形態に係るシート位置確認装置としては、例えば、上記光照射部（２５ａ〜２５ｃ）は、光の照射方向が車両幅方向（Ｓ）の水平軸（Ｔ）回りに回転調整されるようにシート（１）の側面部に設けられている形態（例えば、図２、図４及び図５等参照）を挙げることができる。
【００１７】
上述の形態の場合、例えば、上記光照射部（２５ａ〜２５ｃ）は、レーザ光を照射するレーザポインタ（２７）と、レーザポインタを保持するホルダ（２８）と、ホルダ（２８）をレーザポインタ（２７）のレーザ光の照射方向と直交する軸回りに回転自在に支持し且つシート（１）の側面部に取り付けられる取付体（２９）と、を備えることができる（例えば、図４及び図５等参照）。
【００１８】
本実施形態に係るシート位置確認装置としては、例えば、上記マーキング部（２３）は、車両天井材（２２）の表面に配されている形態（例えば、図１等参照）を挙げることができる。これにより、比較的広く且つ平坦で目視し易い天井材の表面に当たる光の軌跡を目視することで、光照射部の光をマーキング部に容易に当てることができる。これに限らず、マーキング部（２３）は、シート（１）に着座した使用者が容易に視認できる位置に設けられればよい。
マーキング部（２３）の数は、シート（１）毎に１つ設けることが好ましい。シート（１）の動作方向が複数であっても、使用者は、１つのマーキング部（２３）に各光照射部（２５ａ〜２５ｃ）からの光が当たるように調整すれば、シート（１）をその所定位置に容易に移動させることが可能になる。
【００１９】
＜シート位置調整方法＞
本実施形態に係るシート位置調整方法は、上記実施形態に係るシート位置確認装置（２１）を用いてシート（１）を所定位置（Ｐ１、Ｑ１、Ｒ１）に位置させるシート位置調整方法であって、シート（１）の所定位置（Ｐ１、Ｑ１、Ｒ１）でマーキング部（２３）に光が当たるように光照射部（２５ａ〜２５ｃ）の光の照射方向を調整設定する。そして、シート（１）が所定位置（Ｐ１、Ｑ１、Ｒ１）から変更されたときに、光照射部（２５ａ〜２５ｃ）の光がマーキング部（２３）に当たるようにシート（１）を位置調整してシート（１）を所定位置（Ｐ１、Ｑ１、Ｒ１）に位置させる（例えば、図６等参照）。
【００２０】
なお、上記実施形態で記載した各構成の括弧内の符号は、後述する実施例に記載の具体的構成との対応関係を示すものである。
【実施例】
【００２１】
以下、図面を用いて実施例により本発明を具体的に説明する。なお、本実施例では、シートとして運転席側のフロントシートを例示する。
【００２２】
（１）シートの構成
本実施例に係るシート１は、図１及び図２に示すように、使用者の着座部となるシートクッション２と、使用者の背もたれとなるシートバック３と、を備えている。このシートクッション２の側面部にはサイドシールド４が取り付けられている。また、シートバック３の上端側には、使用者の頭部を保護するヘッドレスト５が設けられている。
【００２３】
上記シート１は、図３に示すように、車両フロアＦに対してシートクッション２を車両前後方向Ｐに位置調整するためのスライド機構７と、車両フロアＦに対してシートクッション２を高さ方向Ｑに位置調整するためのリフト機構８と、シートクッション２に対してシートバック３をリクライニング方向Ｒ（図１参照）に位置調整するためのリクライニング機構９と、を備えている。これら各機構７、８、９によって、シート１は、車両前後方向Ｐ、高さ方向Ｑ及びリクライニング方向Ｒの各位置が調整可能とされている。
【００２４】
上記スライド機構７は、車両フロアＦ上に敷設された車両前後方向Ｐに延びる左右のロアレール１１と、これらロアレール１１に対してスライド自在に支持される左右のアッパレール１２と、を有している。このスライド機構７は、ロアレール１１に対するアッパレール１２のスライド位置をロック・解除する機能を有している。
【００２５】
上記リフト機構８は、シートクッション２の骨格をなすフレーム２ａとアッパレール１２とを連結する四節リンク構造１４を備えている。このフレーム２ａの一方の側面部には、操作レバー１６の回転軸が回転自在に支持されている。また、四節リンク構造１４を構成するリアリンク１５には、操作レバー１６の回転軸に設けられたピニオンギア１７が噛み合うギア部１８が形成されている。そして、操作レバー１６を上下方向に操作することで、ピニオンギア１７及びギア部１８の噛合により四節リンク構造１４が起倒動作して、アッパレール１２に対するフレーム２ａの高さ位置が調整される。さらに、リフト機構８は、操作レバー１６の非操作状態においてピニオンギア１７及びギア部１８の噛合を保持する機能を有している。
【００２６】
上記リクライニング機構９は、フレーム２ａの後端部とシートバック３の骨格をなすフレーム３ａの下端部との連絡部分のそれぞれに配されている。このリクライニング機構９は、フレーム２ａに対してフレーム３ａを水平軸回りに回転自在に支持するとともに、フレーム２ａに対するフレーム３ａの回転位置をロック・解除する機能を有している。
【００２７】
（２）シート位置確認装置の構成
本実施例に係るシート位置確認装置２１は、図１に示すように、車両の天井材２２（本発明に係る「内装材」として例示する。）の表面に設けられる１つのマーキング部２３と、シート１に設けられる第１光照射部２５ａ、第２光照射部２５ｂ及び第３光照射部２５ｃと、を備えている。なお、本実施例では、使用者により決められるシート１の最適ポジションＡとして、シート１が各動作方向Ｐ、Ｑ、Ｒの所定位置Ｐ１、Ｑ１、Ｒ１に位置した状態を例示する。
【００２８】
上記マーキング部２３は、使用者が車室内から目視可能な目印として機能する。このマーキング部２３は、天井材の車両前後方向の前端部に配されている。また、マーキング部２３は、天井材２２の車両幅方向において、シート１の側面部（すなわち、光照射部２５ａ〜２５ｃの配置場所）と対応する位置に配されている。本例においては、マーキング部２３は、車両天井材２２の車室内側面から下方に突出する突起状をなしている。
【００２９】
上記第１光照射部２５ａは、シートクッション２の車両前後方向Ｐの所定位置Ｐ１を確認するためのものである。この第１光照射部２５ａは、シートクッション２のサイドシールド４の前端側の表面部（すなわち、シートクッション２の前端側の側面部）に配置されている。また、第２光照射部２５ｂは、シートクッション２の高さ方向Ｑの所定位置Ｑ１を確認するためのものである。この第２光照射部２５ｂは、シートクッション２のサイドシールド４の後端側の表面部（すなわち、シートクッション２の後端側の側面部）に配置されている。さらに、第３光照射部２５ｃは、シートバック３のリクライニング方向Ｒの所定位置Ｒ１を確認するためのものである。この第３光照射部２５ｃは、シートバック３の上端側の側面部に配置されている。なお、上記各光照射部２５ａ〜２５ｃは、車両幅方向の位置が同じとされている。
【００３０】
上記各光照射部２５ａ〜２５ｃは、図４及び図５に示すように、レーザ光を出力する周知のレーザポインタ２７と、このレーザポインタ２７を保持する樹脂製のホルダ２８と、ホルダ２８をレーザ光の照射方向（すなわち、レーザポインタ２７の長手方向）と直交する軸回りに回転自在に支持する樹脂製の取付体２９と、を備えている。
【００３１】
上記レーザポインタ２７は、操作部２７ａの押圧操作により先端側からレーザ光を出力するようになっている。また、ホルダ２８は、レーザポインタ２７を保持する容器状の保持部２８ａと、この保持部２８ａに連なる円板状の回転部２８ｂと、を有している。この回転部２８ｂは、取付体２９に形成されたフランジ部２９ａに回転自在に支持されるとともに、フランジ部２９ａとの圧接により回転位置が保持される。また、取付体２９は、レーザ光の照射方向が車両幅方向Ｓの水平軸Ｔ回りに回転調整されるようにシート１の側面部に取り付けられている。よって、各光照射部２５ａ〜２５ｃは、シート１の位置に応じてマーキング部２３に光が当たるようにレーザ光の照射方向を調整可能とされている。なお、本実施例では、上記第１〜第３光照射部２５ａ〜２５ｃの各レーザポインタ２７として、異なる色（例えば、赤、緑、黄等）のレーザ光を出力するものを採用する。
【００３２】
（３）シート位置確認装置の作用
次に、上記構成のシート位置確認装置２１の作用について説明する。先ず、図６（ａ）に示すように、シート１に着座した使用者Ｈは、シート１の各動作方向Ｐ、Ｑ、Ｒの位置を調整してシート１を所定位置Ｐ１、Ｑ１、Ｒ１（すなわち、最適ポジションＡ）に位置させる。次に、シート１に着座したままで使用者Ｈは、各光照射部２５ａ〜２５ｃのレーザ光Ｌａ〜Ｌｃがマーキング部２３に当たるようにレーザ光Ｌａ〜Ｌｃの照射方向を水平軸回りに回転調整して、各光照射部２５ａ〜２５ｃのレーザ光Ｌａ〜Ｌｃの照射方向を調整設定しておく。なお、上記複数の光照射部２５ａ〜２５ｃにおいて、レーザ光の照射方向の調整順序、回数等は特に問わず、任意に選択できる。
【００３３】
その後、図６（ｂ）に示すように、使用者Ｈ又は他の使用者により最適ポジションＡから変更されたシート１を元に戻す場合、各光照射部２５ａ〜２５ｃのレーザ光Ｌａ〜Ｌｃがマーキング部２３に当たるように、シートクッション２を車両前後方向Ｐ及び高さ方向Ｑに位置調整するとともに、シートバック３をリクライニング方向Ｒに位置調整する。その結果、シート１が最適ポジションＡに戻される（図６（ａ）参照）。なお、上記複数の動作方向Ｐ、Ｑ、Ｒに対するシート１の位置調整における調整順序、回数等は特に問わず、任意に選択できる。
【００３４】
（４）実施例の効果
本実施例のシート位置確認装置２１によると、車両の天井材２２の表面に設けられるマーキング部２３と、シート１に設けられ、マーキング部２３に対して光を照射する光照射部２５ａ〜２５ｃと、を備え、光照射部２５ａ〜２５ｃは、シート１の位置に応じてマーキング部２３に光が当たるように光の照射方向を調整可能とされている。これにより、シート１の所定位置Ｐ１、Ｑ１、Ｒ１（すなわち、最適ポジションＡ）でマーキング部２３に光が当たるように光照射部２５ａ〜２５ｃの光の照射方向を調整設定しておけば、シート１が所定位置Ｐ１、Ｑ１、Ｒ１から変更されても、光照射部２５ａ〜２５ｃの光がマーキング部２３に当たるようにシート１を位置調整することでシート１が所定位置Ｐ１、Ｑ１、Ｒ１に戻される。よって、シート１の所定位置Ｐ１、Ｑ１、Ｒ１を簡単な操作で直感的に目視確認してシート１を所定位置Ｐ１、Ｑ１、Ｒ１に位置させることができる。また、従来のように光照射ユニット及び撮影装置を備えるものに比べて、簡易且つ軽量な構造とすることができる。さらに、シートの位置情報を記憶するメモリ等を必要としないため、電動式のパワーシートに限らず、手動式のマニュアルシートや様々なシートに組み込むことができる。よって、汎用性に優れる。
【００３５】
また、本実施例では、シート１は、複数の動作方向Ｐ、Ｑ、Ｒに位置を調整可能とされており、光照射部２５ａ〜２５ｃは、シート１を複数の動作方向Ｐ、Ｑ、Ｒ毎に決められる各所定位置Ｐ１、Ｑ１、Ｒ１に位置させるために複数設けられている。これにより、シート１の複数の動作方向Ｐ、Ｑ、Ｒの各所定位置Ｐ１、Ｑ１、Ｒ１を簡単な操作で直感的に目視確認してシート１を各所定位置Ｐ１、Ｑ１、Ｒ１に位置させることができる。
【００３６】
また、本実施例では、シート１は、特定のシートクッション２と、シートバック３と、を備え、光照射部は、特定の第１光照射部２５ａと、第２光照射部２５ｂと、第３光照射部２５ｃと、を備える。これにより、シート１の車両前後方向Ｐ、高さ方向Ｑ及びリクライニング方向Ｒの各所定位置Ｐ１、Ｑ１、Ｒ１を簡単な操作で直感的に目視確認してシート１を各所定位置Ｐ１、Ｑ１、Ｒ１に位置させることができる。
【００３７】
また、本実施例では、第１光照射部２５ａがシートクッション２の前端側に配され、第２光照射部２５ｂがシートクッション２の後端側に配され、第３光照射部２５ｃがシートバック３の上端側に配されている。これにより、各光照射部２５ａ〜２５ｃの間隔が大きくなるため、各光照射部２５ａ〜２５ｃの光をマーキング部２３に容易に当てることができる。
【００３８】
また、本実施例において、複数の光照射部２５ａ〜２５ｃのそれぞれは、異なる色の光を照射するようにすることができる。このようにすれば、複数の光照射部２５ａ〜２５ｃの光の識別性が高められるため、光照射部２５ａ〜２５ｃの光をマーキング部２３に容易に当てることができる。
【００３９】
また、本実施例では、光照射部２５ａ〜２５ｃは、光の照射方向が車両幅方向Ｓの水平軸Ｔ回りに回転調整されるようにシート１の側面部に設けられている。これにより、シート１に着座した状態で使用者がシート１の側面部の光照射部２５ａ〜２５ｃで光の照射方向を簡単に回転調整できる。
【００４０】
また、本実施例では、光照射部２５ａ〜２５ｃは、特定のレーザポインタ２７と、ホルダ２８と、取付体２９と、を備える。これにより、シート１に着座した状態で使用者がホルダ２８を回転操作することで、レーザポインタ２７のレーザ光の照射方向を簡単に回転調整できる。また、指向性に優れたレーザ光が照射されるため、光照射部２５ａ〜２５ｃのレーザ光をマーキング部２３に容易に当てることができる。
【００４１】
さらに、本実施例では、マーキング部２３は、車両天井材２２の表面に配されている。これにより、比較的広く且つ平坦で目視し易い天井材２２の表面に当たる光の軌跡を目視することで、光照射部２５ａ〜２５ｃの光をマーキング部２３に容易に当てることができる。
【００４２】
尚、本発明においては、上記実施例に限られず、目的、用途に応じて本発明の範囲内で種々変更した実施例とすることができる。すなわち、上記実施例では、複数の動作方向Ｐ、Ｑ、Ｒに位置を調整可能なシート１を例示したが、これに限定されず、例えば、単一の動作方向のみに位置を調整可能なシートとしてもよい。この場合、光照射部は、シートの単一の動作方向に対応して１つのみ設ければよい。
【００４３】
また、上記実施例では、シート１の複数の動作方向Ｐ、Ｑ、Ｒの全てに所定位置Ｐ１、Ｑ１、Ｒ１を設定するようにしたが、これに限定されず、例えば、シート１の複数の動作方向Ｐ、Ｑ、Ｒの全てに所定位置Ｐ１、Ｑ１、Ｒ１を設定しないようにしてもよい。例えば、複数の動作方向Ｐ、Ｑ、Ｒのうちで動作方向Ｐ、Ｒのみに所定位置Ｐ１、Ｒ１を設定するとともに、第１及び第３光照射部２５ａ、２５ｃのみを備えるようにしてもよい。さらに、例えば、複数の動作方向Ｐ、Ｑ、Ｒのうちで単一の動作方向Ｐのみに所定位置Ｐ１を設定するとともに、単一の光照射部２５ａのみを備えるようにしてもよい。
【００４４】
また、上記実施例において、シート１の動作範囲全域の任意の位置でマーキング部２３に光が当たるように光の照射方向を調整可能な光照射部２５ａ〜２５ｃとしてもよいし、シート１の動作範囲より狭い範囲内の任意の位置でマーキング部２３に光が当たるように光の照射方向を調整可能な光照射部２５ａ〜２５ｃとしてもよい。
【００４５】
また、上記実施例では、光の照射方向を回転により調整する光照射部２５ａ〜２５ｃを例示したが、これに限定されず、例えば、光の照射方向を移動により調整する光照射部としてもよい。例えば、レーザポインタ２７をシート１の側面を含む垂直面内でスライド可能に設け、光の照射方向をレーザポインタ２７のスライド移動により調整するようにしてもよい。
【００４６】
また、上記実施例では、シートクッション２又はシートバック３の側面部に配される光照射部２５ａ〜２５ｃを例示したが、これに限定されず、例えば、シートクッション２の前端下部に配される光照射部としたり、シートを構成するヘッドレストやアームレストに配される光照射部としたりしてもよい。
【００４７】
また、上記実施例では、レーザ光を照射する光照射部２５ａ〜２５ｃを例示したが、これに限定されず、例えば、発光ダイオード等の光源の光をレンズで集束して指向性を有する光を照射する光照射部としてもよい。
【００４８】
また、上記実施例では、複数の光照射部２５ａ〜２５ｃ毎の使用者の操作によりマーキング部２３に対して光を照射するようにしたが、これに限定されず、例えば、使用者の操作により複数の光照射部の全てでマーキング部に対して光を同時に照射するようにしてもよい。
【００４９】
また、上記実施例では、車両天井材２２の表面に配されるマーキング部２３を例示したが、これに限定されず、例えば、サンバイザ、オーバーヘッドコンソール、ルームランプ、ピラー、ドアトリム等の内装材の表面に配されるマーキング部としたり、フロントウィンドやサンルーフ等の窓部の表面に配されるマーキング部としたりしてもよい。
【００５０】
また、上記実施例では、突起状のマーキング部２３を例示したが、これに限定されず、例えば、内装材の表面に接着されるフィルム状のマーキング部としたり、内装材の表面に描かれる図柄状のマーキング部としたりしてもよい。さらに、上記実施例において、単一のシート１に対して複数のマーキング部２３を設けるようにしてもよい。これにより、複数の最適ポジションを設定できる。
【００５１】
さらに、上記実施例では、運転席側のフロントシート１を例示したが、これに限定されず、例えば、助手席側のフロントシートや２列目以降のバックシートとしてもよい。また、上記実施例では、手動式のマニュアルシートを例示したが、これに限定されず、例えば、電動式のパワーシートとしてもよい。特に、本置２１をパワーシートに適用する場合、本装置２１は、簡易な構造でパワーシートの動作機構とは別個に設けられているため、故障がおきにくく、万一故障が発生しても、パワーシート不動作などの重大な故障につながらない。
【００５２】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００５３】
本発明は上記で詳述した実施形態に限定されず、本発明の請求項に示した範囲で様々な変形または変更が可能である。
【産業上の利用可能性】
【００５４】
本発明は、乗用車、バス、トラック等の他、列車、汽車等の鉄道車両、建設車両、農業車両、産業車両などの車両用のシートを所定位置に位置させるための技術として広く利用される。
【符号の説明】
【００５５】
１；シート、２；シートクッション、３；シートバック、２１；シート位置確認装置、２２；天井材、２５ａ〜２５ｃ；光照射部、２７；レーザポインタ、２８；ホルダ、２９；取付体、Ａ；最適ポジション、Ｐ；車両前後方向、Ｑ；高さ方向、Ｒ；リクライニング方向、Ｐ１，Ｑ１，Ｒ１；所定位置、Ｓ；車両幅方向、Ｔ；水平軸。
【図１】
2016000606.tif 000003
【図２】
2016000606.tif 000004
【図３】
2016000606.tif 000005
【図４】
2016000606.tif 000006
【図５】
2016000606.tif 000007
【図６】
2016000606.tif 000008